(57)【要約】      （修正有）【課題】木製パネルに張りつけた写真マットをパネルから剥離させ、写真の保管スペースを縮小するとともに木製パネルの再利用を可能にした展示用パネルを提供する。【解決手段】木枠２１と板から成る木製パネルの台板に１ないし２枚の台紙４を重ね、全体の外周側面を紙または布テープで包み貼りした木製パネルの上に写真マット３を接着させて完成させた展示用パネルを、木製パネル内部に仕込んだ糸５により、パネル周囲のテープを切断して、木製パネルと写真マット３を上下に分離させる。【選択図】図２
0003177759.tif 000002
【実用新案登録請求の範囲】
【請求項１】
展示物を台板に張り付けるタイプの展示用パネルにおいて、展示物と台板の間に台紙を差し込んだ構造であって、展示物を貼付ける台紙と、台板との間に剥離用の糸を外縁に沿って全周にはりめぐらし、糸の端はパネルの側端から少し出ていて、展示終了後のパネル分解時に、その糸を引きながらパネル外周部の化粧張り用テープ部材を内側から切断することを特徴とする展示用パネル。
【請求項２】
請求項１の展示用パネルにおいて、前記台紙を二枚とし、上側台紙は展示物に、下側台紙は台板に接着されるもので、下側台紙の端部周辺に罫糸構造が施されていることを特徴とする展示用パネル。
【請求項３】
請求項１または２の展示用パネルにおいて、前記紙または布からなる切断可能な化粧張り用テープ部材の内側の切断予定高さの位置に、外側に引きながら部材を内部から切断する罫糸構造があらかじめ施されていることを特徴とする展示用パネル。
【請求項４】
請求項１または２の展示用パネルにおいて、前記紙または布からなる切断可能な化粧張り用テープ部材の内側の切断予定高さの位置に、切断後の美観を保つことを目的としたミシン目があらかじめ施されていることを特徴とする展示用パネル。
【請求項５】
請求項４の展示用パネルにおいて、切断用の糸を付設せず、外部よりミシン目に圧力をかけて化粧張り用テープ部材を切断し、展示物と台紙を分離する構造にしたことを特徴とする展示用パネル。
【考案の詳細な説明】
【技術分野】
【０００１】
本発明は写真や書等の展示物を飾る展示用パネルに関するものである。
【背景技術】
【０００２】
従来、写真等の展示には通常、枠状の額縁とガラスまたは合成樹脂からなる透明板と、裏板との間に写真等を挟持する状態で展示するようになっていた。ところが、こうした額縁は、鑑賞者の背後の風景が透明板に映りこむため、写真が鑑賞しづらく、また、透明板ガラスの場合、落下する危険があるため、近年一般的な展示会では額縁の使用が許されないことが多くなってきた。
【０００３】
そのため、最近では主として作品を木製パネルに直接貼り付けて展示することが通例になっているが、この場合、いったん貼り付けた作品は取り外しできず、木製パネルごと保管することになり、その結果、展示後の保管に広い場所を必要とする問題が生じている。
【０００４】
また、この種の展示用の木製パネルは、一般に美観を確保するために側面周囲を紙または布テープ等で化粧張りする仕様も多くあるが、マットを被せて作品を接着固定する構造は変わらず、この状態においても木製パネルと作品とを切り離すことができない。
【０００５】
この問題を解決するため、木製パネルとこれに貼り付けた作品を剥離する方法がいくつか提示されているが、その主旨は、特殊な性質を持つパネルまたは特殊な素材の特性によって剥離性と圧着性を同時に持たせようとするものである。（特許文献１、第５頁、図１、特許文献２、第４頁、図１参照。）
【０００６】
しかしながら、これらの方法によるものでは端部のわずかな捲れが生じた後、換気送風等により捲れが助長された場合、写真等が剥離落下するトラブルが現実に起きており、これを防止するためにパネルの周端に枠を設けるなどの工夫もされるが、もともと額縁を使用しないという趣旨に反することになり、本質的な解決方法が望まれていた。
【先行技術文献】
【特許文献】
【０００７】
【特許文献１】特開２００２−８６６３８号公報
【特許文献２】特開平６−２５９０１９号公報
【考案の概要】
【考案が解決しようとする課題】
【０００８】
本考案は、この問題を解決するため、木製パネルを用いた展示物の、展示中は一般に行われている外周をテープで包み貼りするという仕様を変えることなく、展示後は木製パネルと作品とを切り離す方法を考案し、広い場所を要することなく作品を保管すると同時に、木製パネルの再利用も可能にするものである。
【課題を解決するための手段】
【０００９】
一般の木製パネル２０は、図３に示すように、木枠２１とベニヤ板２２を貼り合わせた台板２の外周側面を紙または布テープ２３で化粧張りしたものであり、従来型展示用パネル１はこれに写真マット３（作品３１とこれを覆うマット３２）を強く接着して作られる。また、木製パネルとマットを含めて全体を紙または布テープで包み貼りして作られているものも多く存在する。
【００１０】
本考案は、図２に示すように、木枠２１にベニヤ板等２２を貼り合わせた台板２の上に台紙４を置き、台紙４と台板２との間に、台紙４の外周に沿わせて、細くて連続した糸５を挿入し、台板２から台紙４までの外周側面全体を紙または布テープ２３で包み張りし、改良型木製パネル２００とするものである。この際、糸の端は包み張りしたテープ２３の１隅から、わずかに出るように垂らしておき、台紙４および台紙２との間は、全面弱接着もしくは非接着とするものである。
【００１１】
次に、写真マット３を上記改良型木製パネル２００に接着することで、この考案による改良型展示用パネル１０は、従来の木製パネル２０に写真マット３を接着したものと同じ仕様の仕上がりが得られる。
【００１２】
そして改良型展示用パネル１０から作品を剥離させる時は、改良型木製パネル２００の端部からわずかに出ている、台紙４と台板２の間に仕込んだ糸５を外側に向けて引くことにより、展示用パネル外周側面に貼られたテープ２３は切断され、台紙４を含んだ写真マット３は台板２から損傷がほとんどない状態で剥離される。
【考案の効果】
【００１３】
以上により、展示用パネルから切り離された写真マット３は、厚さが数ｍｍ以下となり、狭小な場所での保存に適した厚さとなる。
【００１４】
さらに、切り離された写真マット３には、台紙４が必然的に付着するので、作品に対する裏打ち補強効果が得られる。
【００１５】
また、切り離された台板２は、外周側面に貼られたテープ２３の残りを、水洗等により取り除くことで、新しい台板として再利用が可能となる。
【００１６】
請求項２によれば、図４において台紙４を二枚とし、上側台紙は展示物に、下側台紙は台板に接着するものとし、台紙の端部周辺にあらかじめ罫糸構造を施すことにより、製作の段階で剥離構造部分のみを独立した部分品として作成できる。
【００１７】
一般的な展示用パネルは、公募展覧会や展示会で広く採用されており、木製パネルの作成販売数は全国で数万点にも及ぶが、請求項２は、市販の木製パネル２０と写真マット３との間に挟み込む形態で使用するため、小規模な企業や社会福祉法人などの授産施設においても生産供給することが可能であり、多数の出展作品を扱う写真愛好者に受け入れられるものである。
【００１８】
請求項３によれば、図５において、紙または布からなる切断可能な化粧張り用テープ部材の内側の切断予定高さの位置に、内部から外側に引きながら部材を切断する罫糸構造をあらかじめ施しておくことで、パネルの作成時に台紙４を台板２の上に重ね、上記テープを巻くだけで本考案の木製パネル２００を作成できる。
【００１９】
請求項４によれば、図６において、紙または布からなる化粧張り用テープ部材の内側の切断予定高さの位置に、切断後の美観を保つことを目的としたミシン目をあらかじめ施しておくと、切断作業が容易であり、分離した作品をそのまま展示するなど再展示するときの展示方法の選択肢を多くすることができる。
【図面の簡単な説明】
【００２０】
【図１】一般的な展示用パネルと本考案の展示用パネル概観斜視図
【図２】本考案の展示用パネル分解挿図
【図３】一般的な木製パネルと本考案の木製パネル断面図
【図４】二枚あわせ台紙構造斜視図
【図５】化粧張りテープの罫糸構造斜視図
【図６】化粧張りテープのミシン目構造斜視図
【考案を実施するための形態】
【００２１】
以下に本考案の実施例を示す。
【００２２】
１５ｍｍ×１５ｍｍ×３００ｍｍの木枠と厚さ２ｍｍのベニヤ板を強接着して正方形の台板２を作り、これに上側が画用紙、下側がクラフト紙からなる２枚の台紙４１，４２を上に載せ、下側のクラフト紙の四隅から１ｃｍの位置に３角形の切り込み８をつけ、この切り込みに挟みながら周囲端から１ｃｍの位置に木綿糸５を廻らし、木綿糸の端を枠外に２ｃｍ垂らし、その上に上側の画用紙を重ね、下側のクラフト紙と上側の画用紙を貼った後はがせるスプレーのりで接着し、台板２を含めて側面周囲をクラフト紙で包み貼りし、木製パネル２００を完成させた。
【００２３】
完成したパネルの上に写真３１を載せ、写真を押えるため、写真のサイズより５ｍｍ小さく切りぬいた窓を持つクラフト紙をマット３２の代わりとして上から木製パネル２に張り付け、木製パネル２の端から垂れている糸５を木製パネル２の側面にセロハンテープで固定し、展示用パネル１０を完成させた。
【００２４】
次に、展示用パネル１０の側面に固定していたセロハンテープを剥がし、展示用パネル１０の端から垂れている糸５を展示用パネル１０の側面周囲に沿って直角方向に引いたところ、包み貼りしたクラフト紙は切断され、木製パネル部分（木製パネル２+下側台紙４２）と写真マット部分（写真マット３＋上側台紙４１）は切り離され、目的は達成された。
【産業上の利用可能性】
【００２５】
展示用パネルは、安定して展示するために用いられている木製パネルの厚さが展示終了後の保存の妨げになっているが、本考案により台板２と写真マット３を分離することで、収納スペースは小さくなり、台板２は再利用できるので、省スペース、省資源に役立つ。
【００２６】
また、本考案は写真のみならず書道・絵画・工芸の分野にも適用できるものである。
【符号の説明】
【００２７】
１    一般の展示用パネル
１０  本考案の展示用パネル
２    台板（木枠２１にベニヤ板等２２を貼り合わせた物）
２０  一般の木製パネル
２００  本考案の木製パネル
２１  木枠
２２  ベニヤ板
２３  化粧張り紙・布テープ
３    写真マット（写真３１とマット３２を組み合わせた物）
３１  写真・作品
３２  マット
４    台紙
４１  上側台紙
４２  下側台紙
５    糸
６    罫糸構造
７    ミシン目
８    切り込み
【図１】
0003177759.tif 000003
【図２】
0003177759.tif 000004
【図３】
0003177759.tif 000005
【図４】
0003177759.tif 000006
【図５】
0003177759.tif 000007
【図６】
0003177759.tif 000008